(57)【特許請求の範囲】
【請求項１】
送信者に対応した香りの種類を設定する香り設定手段と、
前記香り設定手段で設定された前記香りの種類を香り情報として記憶する香り情報記憶手段と、
送信側のファクシミリ装置から送出される情報を受信する通信制御手段と、
前記情報に基づいて送信者を判別する送信者判別手段と、
前記香り情報記憶手段に記憶されている、前記送信者判別手段で判別された送信者に対応する香りの種類に基づいて、対応する香りを放出する香り放出手段と、
を備えたことを特徴とするファクシミリ装置。
【請求項２】
前記送信者判別手段は、前記送信側のファクシミリ装置から送出されるヘッダーに基づいて、送信者を判別することを特徴とする請求項１記載のファクシミリ装置。
【請求項３】
前記送信者判別手段は、前記送信側のファクシミリ装置から送出される送信者の電話番号に基づいて、送信者を判別することを特徴とする請求項１記載のファクシミリ装置。
【請求項４】
前記香り放出手段は、熱により香りを放出する機能を有した芳香発生感熱紙と、前記芳香発生感熱紙を加熱して香りを放出させるための加熱手段と、から成ることを特徴とする請求項１〜３のいずれか１つに記載のファクシミリ装置。
【請求項５】
香りの種類を指定する香り指定手段と、
前記香り指定手段で指定された香りの種類を香り情報として一時的に記憶する香り情報記憶手段と、とを更に備え、
前記通信制御手段は、さらに、あらかじめ設定された香り情報送信プロトコルに基づいて、前記香り情報記憶手段に記憶された香り情報を送信することを特徴とする請求項１〜４のいずれか一つに記載のファクシミリ装置。
【請求項６】
前記香り指定手段は、あらかじめ香りの種類に対応させて配設したキー群またはスイッチ群から成ることを特徴とする請求項５記載のファクシミリ装置。
【請求項７】
前記香り指定手段として、あらかじめ操作部に設けられている電話番号入力用テンキーを用いることを特徴とする請求項５記載のファクシミリ装置。
【請求項８】
前記香り指定手段は、所定の位置にあらかじめ香りの種類に対応させたマークを設けたファクシミリ用送信原稿から成り、前記ファクシミリ用送信原稿のマークを参照して、所望の香りの種類の位置に線を書き込むことにより、前記香りの種類を指定することを特徴とする請求項５記載のファクシミリ装置。
【請求項９】
前記香り放出手段は、熱により香りを放出する機能を有した芳香発生感熱紙と、前記芳香発生感熱紙を加熱して香りを放出させるための加熱手段と、から成ることを特徴とする請求項１〜８のいずれか１つに記載のファクシミリ装置。
【請求項１０】
前記香り放出手段は、オンデマンドインクジェット方式と同様の構成で、インクに代えて芳香剤を充填した噴霧装置から成ることを特徴とする請求項１〜８のいずれか１つに記載のファクシミリ装置。
【発明の詳細な説明】
【０００１】
【発明の属する技術分野】
本発明は、ファクシミリ送受信時に、画像データに加えて所望の香りの情報を送信または受信し、受信側でファクシミリ受信用紙に香りの情報を付加できるようにしたファクシミリ装置に関する。
【０００２】
【従来の技術】
一般に、人間は日常生活で様々な香りに接しながら暮らしている。香りによっては、心地よく感じる香りや、食欲をそそる香り、不愉快に感じる香りがあり、日本語では、人間がどの様に感じるかによって、香り・匂い・臭い等の文字を当てている。何れの場合も、その香りから人間は種々の情報を得ており、香りが情報伝達手段としての役割を果たしていることは明らかである。また、香りの情報が人間の感情に大きく働きかけることも知られている。
【０００３】
ところで、従来から香りにかかわる商品や、装置が数多く提供されている。例えば、臭いの打ち消し（消臭）を目的とするものとして、香水・オーデコロンのように好ましい香りを付けて身体の匂いを蔽い隠すものや、トイレ用芳香剤のように固体化した芳香剤から徐々に芳香を昇華させて、空気中の悪臭を蔽い隠すようにしたものや、トレイ用消臭剤のようにトイレの臭いの物質（例えば、アンモニア）を中和する物質を固体化し、使用時に昇華させて、空気中の臭気物質と反応させて中和させるもの等がある。換言すれば、付加した香りで元の香り（臭い）を感覚的に圧倒して蔽い隠す隠蔽剤と、化学的に反応させて元の香り（臭い）の分子のもつ働きをなくす脱臭剤とに大別できる。
【０００４】
また、香りの情報が人間の感情に大きく働きかけることを利用したものとして、アロマテラピー等で知られるように、好ましい香りで環境（空気中）を満たしてリラクゼーション効果を促すようにしたものがある。例えば、香料を蒸発させたり、線香を焚くことで好ましい香りを空気中に放出するようにした商品等が提供されている。また、『香りと環境』（空気調和・衛生工学会編、岩橋基行著、理工学図書株式会社発行）の空調接続型香りシステムに開示されるように、香り発生装置を持ち、発生させた香りを空調機のダクトに混入させて部屋全体に香りを流すようにしたシステムも提供されている。
【０００５】
一方、オフィス環境で使用されているＯＡ機器の一つにファクシミリ装置がある。ファクシミリ装置では、送信側で原稿から画像データを読み取って、ファクシミリ送信し、受信側で受信した画像データを記録紙に出力するものである。
【０００６】
【発明が解決しようとする課題】
しかしながら、上記従来の香りを扱う技術およびファクシミリ装置によれば、香りを情報（香り情報）として扱い、画像データと共に相手先（受信側）に伝送するようなものは提供されていなかった。
【０００７】
具体的には、従来のファクシミリ装置で、香り情報を相手先に送信するものや、受信した香り情報に基づいて香りを放出するものはなかった。また、当然ながら送信側から所望の香りを指定して送信することもできなかった。
【０００８】
本発明は上記課題に鑑みてなされたものであって、画像データを受信した場合に送信者に応じた香りを放出することが可能なファクシミリ装置を提供することを目的とする。
【０００９】
本発明は上記に鑑みてなされたものであって、画像データと共に、香り情報を相手（受信側）に送信可能なファクシミリ装置を提供することを目的とする。
【００１０】
本発明は上記に鑑みてなされたものであって、送信側で所望の香り情報を指定して、指定した香り情報を相手（受信側）に送信可能なファクシミリ装置を提供することを目的とする。
【００１１】
また、本発明は上記に鑑みてなされたものであって、画像データと共に、香り情報を相手（受信側）に送信する場合に、いつも同じ香り情報を送信して、香りにより、受信側に送信元を認識可能とさせるファクシミリ装置を提供することを目的とする。
【００１２】
また、本発明は上記に鑑みてなされたものであって、香り情報を受信し、受信した香り情報に基づいて該当する香りを放出するファクシミリ装置を提供することを目的とする。
【００１３】
【課題を解決するための手段】
上記の目的を達成するために、請求項１に係るファクシミリ装置は、送信者に対応した香りの種類を設定する香り設定手段と、前記香り設定手段で設定された前記香りの種類を香り情報として記憶する香り情報記憶手段と、送信側のファクシミリ装置から送出される情報を受信する通信制御手段と、前記情報に基づいて送信者を判別する送信者判別手段と、前記香り情報記憶手段に記憶されている、前記送信者判別手段で判別された送信者に対応する香りの種類に基づいて、対応する香りを放出する香り放出手段と、を備えたものである。
【００１４】
また、請求項２に係わるファクシミリ装置は、請求項１に係るファクシミリ装置において、前記送信者判別手段は、前記送信側のファクシミリ装置から送出されるヘッダーに基づいて、送信者を判別するものである。
【００１５】
また、請求項３に係わるファクシミリ装置は、請求項１に係るファクシミリ装置において、前記送信者判別手段は、前記送信側のファクシミリ装置から送出される送信者の電話番号に基づいて、送信者を判別するものである。
【００１６】
また、請求項４に係るファクシミリ装置は、請求項１〜３のいずれか１つに記載のファクシミリ装置において、前記香り放出手段は、熱により香りを放出する機能を有した芳香発生感熱紙と、前記芳香発生感熱紙を加熱して香りを放出させるための加熱手段と、から成るものである。
【００１７】
また、請求項５に係るファクシミリ装置は、請求項１〜４のいずれか一つに記載のファクシミリ装置において、香りの種類を指定する香り指定手段と、前記香り指定手段で指定された香りの種類を香り情報として一時的に記憶する香り情報記憶手段と、とを更に備え、前記通信制御手段は、さらに、あらかじめ設定された香り情報送信プロトコルに基づいて、前記香り情報記憶手段に記憶された香り情報を送信するものである。
【００１８】
また、請求項６に係るファクシミリ装置は、請求項５記載のファクシミリ装置において、前記香り指定手段は、あらかじめ香りの種類に対応させて配設したキー群またはスイッチ群から成るものである。
【００１９】
また、請求項７に係るファクシミリ装置は、請求項５記載のファクシミリ装置において、前記香り指定手段として、あらかじめ操作部に設けられている電話番号入力用テンキーを用いるものである。
【００２０】
また、請求項８に係るファクシミリ装置は、請求項５記載のファクシミリ装置において、前記香り指定手段は、所定の位置にあらかじめ香りの種類に対応させたマークを設けたファクシミリ用送信原稿から成り、前記ファクシミリ用送信原稿のマークを参照して、所望の香りの種類の位置に線を書き込むことにより、前記香りの種類を指定するものである。
【００２１】
また、請求項９に係るファクシミリ装置は、請求項１〜８のいずれか１つに記載のファクシミリ装置において、前記香り放出手段は、熱により香りを放出する機能を有した芳香発生感熱紙と、前記芳香発生感熱紙を加熱して香りを放出させるための加熱手段と、から成るものである。
【００２２】
また、請求項１０に係るファクシミリ装置は、請求項１〜８のいずれか１つに記載のファクシミリ装置において、前記香り放出手段は、オンデマンドインクジェット方式と同様の構成で、インクに代えて芳香剤を充填した噴霧装置から成るものである。
【００２４】
【発明の実施の形態】
以下、本発明のファクシミリ装置について、〔実施の形態１〕、〔実施の形態２〕の順で、図面を参照して詳細に説明する。
【００２５】
〔実施の形態１〕
実施の形態１のファクシミリ装置について、
１．実施の形態１のファクシミリ装置の構成
２．実施の形態１の香り放出装置の構成
３．送信者に対応した香りの発生処理（受信側）
３−１送信者に対応した香り情報の設定
３−２送信者に応じた香り発生動作
４．指定した香り情報の送信およびその受信処理（送信および受信側）
４−１  香り情報の指定処理
４−２  香り情報送信プロトコル／香り情報受信プロトコル
４−３  香り情報の具体的な送受信動作
５．デフォルトの香り情報の送信およびその受信処理（送信及び受信側）
５−１  香り情報のデフォルト設定処理
５−２  デフォルトの香り情報の具体的な送受信動作
の順で、詳細に説明する。
【００２６】
１．実施の形態１のファクシミリ装置の構成
図１は、実施の形態１のファクシミリ装置のブロック構成図を示す。図において、１０１はファクシミリ装置全体の制御を行うシステム制御部、１０２は各種データを一時的に記憶するためのＲＡＭ、１０３は制御プログラム・各種データ・ファクシミリ送信データ・ファクシミリ受信データを記憶・保存するためのハードディスク（ＨＤ）、１０４はファクシミリ送信用の原稿から画像データ（ファクシミリ送信データ）を読み取るスキャナ、１０５は各種オペレーションおよびメッセージの表示等を行うための操作表示部、１０６はＰＳＴＮまたはＩＳＤＮに接続された通信制御部、１０７はファクシミリ送信データの符号化またはファクシミリ受信データの復号化を行う符号化復号化部、１０８はファクシミリ送信データの変倍を行う変倍部、１０９はファクシミリ受信データを所定の紙に出力するプロッタ、１１０は実施の形態１の香り放出装置、１１１は香り放出装置１１０を制御する香り放出制御部、１１２は制御バスを示している。なお、詳細は後述するが実施の形態１では、プロッタ１０９を香り放出装置１１０の一部分として使用するため、図示の如く、香り放出装置１１０をプロッタ１０９内に配置して示してある。
【００２７】
上記システム制御部１０１は、ＣＰＵやＲＯＭを備え、このＲＯＭには、このファクシミリ装置を動作させるための基本プログラムやシステムの制御に必要な各種プログラムやデータが格納されており、ＣＰＵは、これらプログラムに従ってファクシミリ装置全体の制御を行う。
【００２８】
上記ＲＡＭ１０２は、上記ＲＯＭ内のプログラムに対する作業領域であり、画像ファイルや芳香情報などの各種データ、若しくは種々のプログラムが一時的に格納される。
【００２９】
上記ＨＤ１０３は、ＣＰＵの処理プログラムの一部、送受信画像ファイル、送受信芳香情報などを記録している。図２は、ＨＤ１０３のメモリ構成の一例を示している。ＨＤ１０３は、図２に示す如く、他の処理プログラムを格納する他の処理プログラムセクション１０３ａ、他の処理情報を格納する他の情報処理セクション１０３ｂ、芳香情報処理プログラムを格納する芳香情報処理プログラムセクション１０ｃ、芳香情報（送信側設定デフォルト値、受信側芳香情報設定値等）が格納される芳香情報セクション１０３ｄ等を備えている。
【００３０】
上記通信制御部１０６は、ＰＳＴＮ（Ｇ３ＦＡＸの場合）またはＩＳＤＮ（Ｇ４ＦＡＸの場合）に接続され、ＰＳＴＮまたはＩＳＤＮとの間で行う所定の呼制御手順及び所定の伝送手順処理を実行するものである。尚、複数回線と接続するためには、この通信制御部を回線数分備えることにすれば良い。
【００３１】
上記符号化復号化部１０７は、イメージデータを圧縮処理（ＭＨ、ＭＲ、ＭＭＲなどのファクシミリ圧縮符号データへの変換）したり、それを逆に伸長処理する。また、必要に応じて香り情報等のイメージデータ以外のものを扱うことも可能である。
【００３２】
上記変倍部１０８は、イメージデータの解像度変換及びミリ−インチ変換などを行う。上記プロッタ１０９は、符号化復号化部１０７や変倍部１０８などを通じてイメージデータ（ラスタライズされたデータ）を記録出力する。
【００３３】
上記操作表示部１０５は、例えば、テンキー、スタートキー、登録キーなどの各種操作キーを備えており、オペレータがキー操作することにより各種命令が入力される。
【００３４】
上記香り放出制御部１１１は、通信制御部１０６若しくはシステム制御部１０１の指示により指定された香り情報を単体ないしは複数の香りを合成して放出させる信号を香り放出装置１１０に送信して制御する。
【００３５】
上記の構成において、操作表示部１０５が本発明の香り指定手段及び香り設定手段の役割を果たし、システム制御部１０１およびＲＡＭ１０２が本発明の香り情報記憶手段の役割を果たし、通信制御部１０６が本発明の通信制御手段の役割を果たし、システム制御部１０１が本発明の識別手段および送信者判別手段の役割を果たし、香り放出制御部１１１および香り放出装置１１０が本発明の香り放出手段の役割を果たす。
【００３６】
ただし、実施の形態１では、香り放出手段である香り放出装置１１０をサーマルヘッドからなるプロッタ１０９と後述する芳香発生感熱紙２０１（図３参照）で構成し、プロッタ１０９を加熱手段として用いて、芳香発生感熱紙を加熱して香りを放出させるものとする。
【００３７】
以下では、送信側ファクシミリ装置と受信側ファクシミリ装置を、共に上記図１の構成であるとして説明を行う。
【００３８】
２．実施の形態１の香り放出装置の構成
次に、図３〜図６を参照して、実施の形態１の香り放出装置１１０の構成について説明する。図３および図４は実施の形態１の芳香発生感熱紙の構造を示し、図５は実施の形態１の香り放出装置（芳香発生感熱紙およびプロッタ）の配置および構造を示し、図６は実施の形態１のプロッタ（サーマルヘッド）の構成を示す説明図である。
【００３９】
実施の形態１では、熱により香りを放出する機能を有した芳香発生感熱紙を、プロッタ（サーマルヘッド）１０９で加熱して香りを放出させる構成である。この芳香発生感熱紙は、加熱によって芳香を発生するのみならず、文字、図形等も記録できるようにしてある。換言すれば、熱により香りを放出する機能に加えて従来の感熱記録紙と同様の機能を有している。
【００４０】
具体的には、芳香発生感熱紙２０１は、図３に示すように、一般的に使用されているＦａｘロール感熱記録紙の両端に香料塗布部分２０２を設けたものであり、中央部分２０３は従来の感熱記録紙と同様の構造である。
【００４１】
香料塗布部分２０２には、２０２ａ〜２０２ｅで示すように５種類の香り領域が設けられており、それぞれ異なる香料が塗布されている。この香り領域２０２ａ〜２０２ｅに塗布された香料は、それぞれが単独である特定の香りの香料であっても良く、または複数の香り領域の香りを組み合わせて特定の香りを合成するための香料（芳香要素）であっても良い。なお、香料塗布部分２０２に塗布する香料の数・種類は特に限定するものではない。
【００４２】
図４（ａ）、（ｂ）は、芳香発生感熱紙２０１の香料塗布部分２０２における芳香材と感熱発色材の塗布例を示す説明図である。ここで、３０１はカール防止材、３０２はベース素材、３０３は裏抜け防止材、３０４は感熱発色材、３０５はバインダー、３０６は芳香材、３０７は芳香漏洩防止被膜を示す。
【００４３】
同図（ａ）では、カール防止材３０１、ベース素材３０２および裏抜け防止材３０３から成るテープ状のシート上に感熱発色材３０４を配置し、この感熱発色材３０４上に、バインダー３０５を用いて芳香材３０６を固定し、さらに常温状態で芳香材３０６から僅かに発散される香りを抑えるための芳香漏洩防止被膜３０７を設けてある。一方、同図（ｂ）では、カール防止材３０１、ベース素材３０２および裏抜け防止材３０３から成るテープ状のシート上にバインダー３０５を用いて芳香材３０６を固定し、その後、感熱発色材３０４を配置し、この感熱発色材３０４上に、さらに常温状態で芳香材３０６から僅かに発散される香りを抑えるための芳香漏洩防止被膜３０７を設けてある。
【００４４】
この香料塗布部分２０２の構造は、同図（ａ）または（ｂ）の何れでも良いが、同図（ａ）の場合には、加熱時に、芳香漏洩防止被膜３０７、芳香材３０６、感熱発色材３０４の順で加熱されるため、加熱によって芳香材３０６が昇華すると、その香りが、同様に加熱によって破られた芳香漏洩防止被膜３０７の破損部分から放出される。換言すれば、昇華した芳香材３０６が直接空気中に放出されるので、効率良く香りを出すことができるという利点を有している。一方、同図（ｂ）の場合には、加熱時に、芳香漏洩防止被膜３０７、感熱発色材３０４、芳香材３０６の順で加熱されるため、昇華した芳香材３０６が空気中に放出されるまでに、感熱発色材３０４の層を通過しなければならず、香りの放出効率は低下するものの、加熱後、感熱発色材３０４が最上部の層となるので発色を鮮明にすることができるという利点を有している。
【００４５】
図５および図６は、実施の形態１の香り放出装置１１０の配置および構造を示す説明図である。前述したように香り放出装置１１０は、サーマルヘッドからなるプロッタ１０９と芳香発生感熱紙２０１とから構成され、図示の如く、芳香発生感熱紙２０１の一端がプラテンローラ４０１とプロッタ１０９との間を通してセットされている。プロッタ１０９で芳香発生感熱紙２０１を加熱して、ファクシミリ受信した画像データを記録すると共に、芳香発生感熱紙２０１の香料塗布部分２０２の特定位置を加熱して、該位置に対応する芳香材３０６を昇華させて香りを放出させる構成である。
【００４６】
プロッタ１０９による香りの放出制御は、公知の技術を利用することができる。例えば、図６（ａ）、（ｂ）に示すように、共通電極５０１と所望の電極（個別の電極）５０２との間にパルス電圧を印加することによって、所望の位置の抵抗体５０３を発熱させて、対応する位置の香料塗布部分２０２上の熱昇華型の芳香材３０６を溶かして、香りを放出させる。
【００４７】
３．送信者に対応した香りの発生処理（受信側）
ファクシミリ装置が受信装置として機能する場合に、予め送信者に対応した香りの種類を設定しておき、送信側のファクシミリ装置から送信される情報に基づいて送信者を判別し、この判別した送信者に対応した香りを放出する動作を説明する。
【００４８】
３−１  送信者に対応した香り情報の設定処理
まず、送信者に対応した香り情報の設定処理について説明する。送信者に対応した香り情報を設定する方法としては、例えば、以下の３つの方法がある。
【００４９】
３−１−１  第１の方法
送信者に対応した香り情報の設定処理の第１の例を、図７に示すフローチャートを参照して説明する。図７は、送信者に対応した香り情報の設定処理の第１の方法の手順を示すフローチャートである。
【００５０】
第１の方法では、送信側のファクシミリ装置が、自己のファクシミリの電話番号を送出するように設定している場合に、このファックスを受信した際に、その相手（送信者）に応じた香りを放出させたい場合には、以下の手順で自機（受信側）のファクシミリ装置の操作表示部１０５を操作して送信者に対応した香り情報をデフォルトとして設定しておく。
【００５１】
まず、操作表示部１０５のファンクションボタンを押下し（ステップＳ１）、次いで、テンキーの「１」と「０」をプッシュする（ステップＳ２）。これにより「１０」が入力され、受信香り情報設定モードとなる。そして、テンキーの「＃」ボタンを押下した後（ステップＳ３）、相手（送信元）の電話番号を設定する（ステップＳ４）。この場合、相手が、国内である場合には地域コードから電話番号の設定を行い、自分と同一地域である場合には地域番号（地域コード）を除外して電話番号の設定を行い、また海外である場合には国番号（国コード）から電話番号の設定を行う。
【００５２】
続いて、テンキーの「＃」ボタンを押下し（ステップＳ５）、相手に会わせた香りのコードを設定した後（ステップＳ６）、登録ボタンを押下して（ステップＳ７）、相手の電話番号と当該相手に対応する香りのコードを設定する。この設定された内容は、ＨＤ１０３に格納される。尚、香りのコードには、予め香りの種類が割り付けられている。
【００５３】
尚、電話会社が、送信側の電話番号の報知サービスを実施している場合には、この報知サービスの情報を利用することも可能である。また、送信側がカナやアルファベットで個人名や組織名を送信するように設定している場合には、上記ステップＳ４において、電話番号の替わりに個人名や組織名をカナやアルファベットで設定を行う。
【００５４】
３−１−２  第２の方法
第２の方法では、上記第１の方法のステップＳ４の手順については、上述の如く手動で行うかわりに、受信した相手先のヘッダーの情報を利用して自動的に設定を行う。具体的には、一度、相手が送信してきた内容をＨＤ１０３に蓄積し、ヘッダーの部分から相手の電話番号若しくは個人名・組織名を抽出する。例えば、Ｇ３ＦＡＸの場合はＴＳＩコマンド中から、Ｇ４ＦＡＸの場合はＣＳＳコマンド中から相手の電話番号若しくは個人名・組織名を抽出して、電話番号若しくは個人名・組織名を設定することにしても良い。尚、これらＴＳＩ・ＣＳＳコマンドの詳細は後述する。
【００５５】
３−１−３  第３の例
第３の方法では、上記第１及び第２の方法とは異なり、個人的に設定するのではなく、相手の国別・地域別に香りコードを設定する。具体的には、上記ステップＳ３〜Ｓ５までの手順で、電話番号等の替わりに国・地域に対応する国・地域コードを設定すれば良い。図８は、国別・地域別に香りのコードを割り付ける場合の例を示している。この図８に示す国別・地域別の香りのコードのファイルは、ＨＤ１０３に格納されている。
【００５６】
上記例１〜例３で設定した香りの情報のデフォルトの内容は、ファイル化されてＨＤ１０３に記憶される。設定した香りの情報のデフォルトの一例を図９に示す。特に、図９は、横浜に住んでいるある人の香り情報のファイルの内容の例を示している。図９においては、国コード、地域コード、電話番号、個人名に対応させて香りのコードが設定されている。
【００５７】
３−２  送信者に応じた香り発生動作
ここで、前述のの如く、受信者側で発生させたい芳香情報のデフォルトを設定したファクシミリ装置で、ファクシミリを受信して芳香を発生させるまでの概略動作を説明する。先ず、通信制御部１０６は、送信側のファクシミリ装置から送られてくる情報をＲＡＭ１０２に格納し、システム制御部１０１は、受信した情報のヘッダーに基づいて送信者を識別し、ＨＤ１０３に記憶されている、識別した送信者に対応した香りの番号（コード）を香り放出制御部１１１に送出し、香り放出制御部１１１は、香り放出装置１１０を制御して対応する香りを放出させる。
【００５８】
以下、図１０を参照して、受信側で送信者に応じて芳香を発生させる動作を具体的に説明する。図１０（ａ）は一般的なＧ３ＦＡＸプロトコルの説明図、図１０（ｂ）は一般的なＧ４ＦＡＸプロトコルの説明図である。
【００５９】
まず、受信したヘッダー（例えば、ＴＳＩ、ＳＥＴＵＰ、ＣＳＳを含む）から送信者を判別する方法について説明する。Ｇ３ＦＡＸにおいては、図１０（ａ）において、ＴＳＩコマンド中のファクシミリ情報フィールド中に、送信端末識別子がパラメータとして存在する。この送信端末識別子は通常、電話番号である。他方、Ｇ４ＦＡＸにおいては、図１０（ｂ）において、ＳＥＴＵＰコマンド中に発番号、サブアドレス及びＵＵＩ（ユーザ情報）、ＣＳＳコマンド中に発呼端末識別子がそれぞれパラメータとして存在する。この発呼端末識別子は通常、電話番号である。図１１は、ＴＳＩ、ＳＥＴＵＰ、ＣＳＳのパラメータが電話番号の例を示しており、図１１（ａ）は国際版を示し、図１１（ｂ）は国内版を示している。
【００６０】
すなわち、ＴＳＩ、ＳＥＴＵＰ、ＣＳＳのパラメータが電話番号の場合は、ＨＤ１０３に格納されれている受信側の香りの設定してあるファイル（図９参照）のキーコードと対応を取り、上位から一致するところまでの香り番号を取り出す。具体的には、受信した電話番号がファイルのキーコードとして設定されている場合には、当該電話番号に対応する香り番号を取得し、また、受信した電話番号が、設定したあるファイルのキーコードと一致しない場合には、受信した電話番号が、キーコードとして設定されている国コード若しくは地域コードを含む場合は、当該国コード若しくは地域コードに対応する香り番号を取得する。
【００６１】
例えば、電話番号が、”＋１”で始まる場合は、システム制御１０１は、個別の相手がＨＤ１０３に格納される図９に示すファイルにはないので、図８に示すファイルを参照して、アメリカからのファックスが届いたとして、香り番号２５（ハナミズキ）を香り放出制御装置１１１に送出する。また、”＋４４−１２３−４５６７から送られてきた場合には、図９のファイルを参照して、特別な友人ということで、システム制御部１０１は、香り番８５（シャネルの５番）を香り放出制御装置１１１に送出する。また、イギリスの国別コード”＋４４”のみが一致して、つづく、電話番号がＨＤ１０３の図９のファイルに登録されている電話番号と一致しない場合には、システム制御部１０１は、イギリスの国別コードに対応する香り番号１２（レッドローズ（イギリス））を香り放出制御部１１１に送出する。
【００６２】
以上説明したように、上記処理によれば、予め送信者に対応した香りの種類を設定しておき、送信側のファクシミリ装置から送信される情報に基づいて送信者を判別し、この判別した送信者に対応した香りを放出することとしたので、画像データを受信した場合に送信者に応じた香りを放出することが可能となる。
【００６３】
４．指定した香り情報の送信およびその受信処理（送信および受信側）
ファクシミリ装置が送信側として機能する場合には、操作表示部１０５の操作により指定された香りの情報を送信し、他方、受信側として機能する場合には、送信側のファクシミリ装置から送信される香り情報を受信し、受信した香り情報から香りの種類を識別し、識別された香りの種類に基づいて、対応する香りを放出する。
【００６４】
４−１  香り情報の指定処理
香り情報の指定法は、大別して、操作表示部１０５を介して香り情報を指定する場合、ファクシミリ用送信原稿を用いて指定する場合がある。
【００６５】
４−１−２  操作表示部１０５を介して香り情報を指定する方法
操作表示部１０５を介して香り情報を指定する場合、例えば、図１２に示すように、操作表示部１０５上にあらかじめ香りの種類に対応させて配設したキー群６０１〜６０５（またはスイッチ群）を配設し、ファクシミリ送信を行う場合に、キー群６０１〜６０５の中から、所望の香りに該当するキーを選択すると、システム制御部１０１が選択されたキーに対応する香り情報を生成し、ＲＡＭ１０２に一時記憶させる。その後、スタートキー６０６が押下されると、ファクシミリ送信が開始される。なお、図１２において、６０７は電話番号入力用テンキー、６０８はワンタッチキー、６０９はディスプレイを示す。
【００６６】
また、例えば、図１３に示すように、香りを指定するための香り指定ボタン６１０を設けておき、香り指定ボタン６１０を押下した後、電話番号入力用テンキー６０７を用いて所望の香りの番号を入力して指定する方法でも良い。あるいは香り指定ボタン６１０を押下した後、ワンタッチキー６０８を用いて所望の香りの番号を入力して指定する方法でも良い。
【００６７】
さらに、何れの場合にも、選択された香り情報の内容をディスプレイ６０９に表示して確認できるようにすると良いのは勿論である。
【００６８】
４−１−３  ファクシミリ用送信原稿を用いて指定する方法
次に、ファクシミリ用送信原稿を用いて指定する場合について説明する。この場合には、図１４に示すように、所定の位置にあらかじめ香りの種類に対応させたマーク８０１〜８０５を設けたファクシミリ用送信原稿８０６を用いる。ここでは、花の香りのマーク８０１、森林の香りのマーク８０２、香水の香りのマーク８０３、枯れ葉の香りのマーク８０４、バナナの香りのマーク８０５が設けられているものとする。
【００６９】
このファクシミリ用送信原稿８０６のマーク８０１〜８０５を参照して、図示の如く、ユーザが所望の香りの種類の位置に線８０７を書き込むことにより、香りの種類を指定する。
【００７０】
その後、ファクシミリ送信を行う場合に、ファクシミリ用送信原稿８０６をセットしてスタートキー６０６を押下すると、システム制御部１０１が、スキャナ１０４で読み取った画像データからマーク８０１〜８０５に存在する線８０７を認識して、該当する香りが選択されたものとして対応する香り情報を生成し、ＲＡＭ１０２に一時記憶させる。
【００７１】
なお、この場合には、ファクシミリ送信する原稿のうち、少なくとも一枚目の原稿の用紙としてファクシミリ用送信原稿８０６を使用する必要があるが、操作表示部１０５に専用のキー等を設ける必要がないという利点がある。
【００７２】
４−２  香り情報送信プロトコル／香り情報受信プロトコル
以下、図１５〜図１８を参照して、香り情報送信プロトコル／香り情報受信プロトコルについて具体的に説明する。図１５はＧ３ＦＡＸプロトコルでの独自手順への移行を示す説明図、図１６はＧ４ＦＡＸプロトコルでの独自手順への移行を示す説明図である。図１７は、は実施の形態１において使用する独自手順のプロトコルシーケンス（送信側が香り情報送信プロトコル／受信側が香り情報受信プロトコル）の説明図、図１８は独自手順のプロトコルシーケンスにおけるＳ＿ＣＡＰおよびＲ＿ＣＡＰのフォーマットの説明図を示す。図１５及び図１６において、独自手順と書かれているところに、システム間でサポートしている独自のプロトコルを記述する。
【００７３】
図１７で示した独自手順のプロトコルシーケンス（送信側が香り情報送信プロトコル／受信側が香り情報受信プロトコル）は、ファクシミリ装置がＧ３機・Ｇ４機の何れの場合でも適用することが可能である。Ｇ３ＦＡＸプロトコルにおいては、図１５に示すように、送信側がコマンドＴＳＩ、ＤＣＳを送信後、図１７で示した独自手順へ移行する。また、Ｇ４ＦＡＸプロトコルにおいては、図１６に示すように、送信側がコマンドＲＤＣＬＰを受信した後、図１７で示した独自手順へ移行する。
【００７４】
次に、独自手順のプロトコルシーケンスについて説明する。図１７に示すように、独自手順において、先ず、送信側はＳ＿ＣＡＰコマンドを受信側へ送信して、香りの情報を送信する旨のコードを送り、送信側で意識している（その時点で分かっている）全ての香り放出器のタイプや芳香ファクシミリの標準として取り決めている放出する香りの情報体系を提示する。受信側は、Ｓ＿ＣＡＰコマンドを受信すると、その中で自分が用意している香り放出器のタイプや、放出することの出来る香り情報体系をＲ＿ＣＡＰコマンドにて提示する。
【００７５】
図１８は、Ｓ＿ＣＡＰコマンドおよびＲ＿ＣＡＰコマンドのフォーマットの一例を示している。図  に示すように、第１〜２バイトがコマンド名、第３バイト以降の各１ビット毎に、種々の芳香放出器の型や、用意している香りの体系などを割り当て、そのビットが”１”であれば、対応する芳香放出器の香りの体系をサポートしている（１つでも複数であっても良い。）ことを示している。このような内容のやり取りの結果、送信側は受信側がどんな型の芳香放出器を用意しているか（多くの場合にこの情報は不要であるが、香りのコントロールや伝搬速度を伴ったタイミングのコントロールなども行いたい場合には有効である、どのような香りの情報体系をもっていてどんな香りを発生可能であるかが分かる。
【００７６】
さて、送信側はＲ＿ＣＡＰコマンドを受信すると、Ｓ＿ＣＯＮＴ＿Ｄコマンドを送信して「送信する回路の情報体系の提示」を行う。受信側はＳ＿ＣＯＮＴ＿Ｄコマンドを受信すると、Ｒ＿ＣＯＮＴ＿Ｄ（ＯＫ）コマンドにて「作動させる香りの情報体系を確認したことの提示」を行う。
【００７７】
つづいて、送信側はＳ＿ＣＯＮＴ＿Ｄ（ＯＫ）コマンドを受信すると、Ｓ＿Ｄ＿ＴＡＲＮコマンドにて「香り情報の送信」を行い、受信側はＳ＿Ｄ＿ＴＡＲＮコマンドを受信すると、Ｓ＿Ｄ＿ＴＡＲＮ（ＯＫ）コマンドを送信して『香り情報を受け取った確認の提示」を行う。その後、ファクシミリ送信データの送受信が行われる。
【００７８】
４−３  香り情報の具体的な送受信動作
以上の構成において、香り情報の具体的な送受信動作の一例を、図１９のフローチャートを参照して説明する。図１９は、香り情報の具体的な送受信動作の一例を説明するためのフローチャートである。
【００７９】
先ず、送信側のファクシミリ装置に送信原稿をセットした後（ステップＳ１１）、操作表示部１０５のファンクションボタンを押下し（ステップＳ１２）、ファンクションキーの「０」を２回押下して「００」を入力して（ステップＳ１３）、香りコード入力モードとする。そして、「＃」ボタンを押下した後（ステップＳ１４）、香りのコードを設定し（ステップＳ１５）、「＃」ボタンを押下する（ステップＳ１６）。続いて、相手のＦＡＸ電話番号を設定した後（ステップＳ１７）、スタートボタンを押下する（ステップＳ１８）。
【００８０】
尚、ステップＳ１５における香りのコードに設定方法は、前述したように、図１２に示したように、操作表示部１０５上のキー群６０１〜６０５の中から所望の香りのキーを選択（押下）する方法、もしくは図１３に示したように、香り指定ボタン６１０を押下した後、電話番号入力用テンキー６０７を用いて所望の香りの番号を入力して指定する方法のいずれでもを用いても良い。
【００８１】
上記のキー操作がなされると、送信側ファクシミリ装置では、入力された香り情報をＨＤ１０３に格納されているデフォルト情報と入れ替える（ステップＳ２０）。そして、入力された相手先電話番号を一時的にＲＡＭ１０２に記憶すると共に（ステップＳ２１）、原稿の画像情報をスキャナー４により読み取った後（ステップＳ２２）、ダイヤル送信を行う（ステップＳ２３）。そして、受信側ファクシミリ装置ではＣＡＬＬを受けつける（ステップＳ２４）。
【００８２】
そして、送信側ファクシミリ装置と受信側ファクシミリ装置間で通信手続きを行い（図１５〜図１７のプロトコル参照）、プロトコルを確立する（ステップＳ２５、Ｓ２６）。具体的には、送信側のファクシミリ装置の通信制御部１０６は、Ｇ３ＦＡＸプロトコルまたはＧ４ＦＡＸプロトコルに基づいて受信側ファクシミリ装置とプロトコルを確立する。プロトコルのやり取りの中で、独自手順中に香りの情報を確認し、その内容が自分の持っている香り情報体系と合っていることを確認した後、受信側ＦＡＸでは、デフォルトを解除し、受け取った香り情報を設定する。即ち、受信側のファクシミリ装置の通信制御部１０６は、独自手順のプロトコルシーケンス（香り情報受信プロトコル）にしたがって受信した香り情報をＲＡＭ１０２に一時的に格納し、そして、システム制御部１０１が香り情報から香りの種類を識別する。
【００８３】
そして、送信側ファクシミリ装置においては、システム制御部１０１は、スキャナー４で読み取った画像情報を取り込み（ステップＳ２７）、符号化復号化部１０７で画像情報を符号化して（ステップＳ２８）、ＲＡＭ１０２に一旦格納した後（ステップＳ２９）、通信制御部１０６は符号化された画像情報を送信する（ステップＳ３０）。
【００８４】
他方、受信側のファクシミリ装置の通信制御部１０６は、符号化された画像情報を受信し（ステップＳ３１）、受信した画像情報をＲＡＭ１０２に一旦格納する。そして、符号化復号化部１０７により画像情報が復号化される（ステップＳ３２）。そして、システム制御部１０７が香り情報を香り放出制御部１１１へ送ると同時に、復号化済み画像情報をプロッタ１０９へ出力する（ステップＳ３３）。香り放出制御部１１１は、香りの種類に基づいて該当する香りを放出させるように香り放出装置１１０を制御する。これにより、記録紙の動作タイミングに合わせて指定された香り放出装置１１０から香りが放出される（ステップＳ３４）。具体的には、香り放出装置１１０において、サーマルヘッドであるプロッタ１０９の所定位置が駆動されて、芳香発生感熱紙２０１の香料塗布部分２０２の香りの種類に対応した香り領域（香り領域２０２ａ〜２０２ｅの何れか）が加熱され、該当する芳香材が昇華して、香りが放出される。また、同時に芳香発生感熱紙２０１は、通常の加熱記録紙としての役割も果たし、プロッタ１０９によって画像データを記録される。
【００８５】
前述したように上記処理によれば、画像データと共に、香り情報を相手（受信側）に送信することができる。また、送信側で所望の香り情報を指定して、指定した香り情報を相手（受信側）に送信することができる。
【００８６】
さらに、受信側では、香り情報を受信し、受信した香り情報に基づいて該当する香りを放出することができる。また、この際に、受信紙である芳香発生感熱紙２０１から香りが放出されるので、受信紙を受け取った人（宛先の人）に所望の香りを届けることができる。
【００８７】
５．デフォルトの香り情報の送信およびその受信処理（送信及び受信側）
次に、送信者が常に一定の香りを送りたい場合について説明する。
【００８８】
５−１  香り情報のデフォルト設定処理
香り情報のデフォルト設定処理を図２０のフローチャートを参照して説明する。図２０は、香り情報のデフォルト設定処理を説明するためのフローチャートである。
【００８９】
まず、操作表示部１０５のファンクションボタンを押下し（ステップＳ４０）、そして、テンキーの「１」を２回押下すると（ステップＳ４１）、「１１」が入力され、送信香り情報デフォルト設定モードとなる。つづいて、テンキーの「＃」を押下した後（ステップＳ４２）、テンキーを操作して香りのコードを設定する（ステップＳ４３）。そして、ファンクションボタンが押下されると（ステップＳ４４）と、この香りのコードはデフォルト値としてＨＤ１０３にファイルとして格納される。ここで、ファイルとして格納される内容は、例えば、＃５５のような香りのコードだけである。上記で説明した場合（４．指定した香り情報の送信およびその受信処理）を除き、通常、ファックスを送信する場合には、このデフォルト値が自動的に香り情報として送信される。
【００９０】
５−２  デフォルトの香り情報の具体的な送受信動作
デフォルトの香り情報の具体的な送受信動作の一例を、図２１のフローチャートを参照して説明する。図２１は、デフォルトの香り情報の具体的な送受信動作の一例を説明するためのフローチャートである。図１９のフローチャートと同等のステップは同一符号を付し、共通する部分の説明は省略して異なるステップについてのみ説明する。
【００９１】
先ず、送信側のファクシミリ装置に送信原稿をセットした後（ステップＳ１１）、スタートボタンが押下されると（ステップＳ５１）、送信側ファクシミリ装置では、ＨＤ１０３に格納されているデフォルトの香り情報が、自動的に送信される。このデフォルトの香り情報の送信は、通信手続き（ステップＳ２５、Ｓ２６）で行われる。
【００９２】
前述したように、上記処理によれば、予め設定されているデフォルト値を自動的に香り情報として送信することとしたので、香りにより、受信側に送信元を認識可能とさせることができ、自分（或いは自分の業務を行っているオフィスとしての）のアイデンティティを主張することができる。
【００９３】
〔実施の形態２〕
図２２は、実施の形態２のファクシミリ装置のブロック構成図を示す。実施の形態２のファクシミリ装置は、基本的に実施の形態１と同様の構成であり、ここでは、香り放出装置１１０としてオンデマンドインクジェット方式と同様の構成で、インクに代えて芳香剤を充填した噴霧装置を用いるものである。したがって、図示の如く、プロッタ１０９と香り放出装置１１０がそれぞれ独立して配置されている。なお、その他の構成および動作は実施の形態１と同様につき説明を省略する。
【００９４】
なお、実施の形態２では、香り放出装置１１０としてオンデマンドインクジェット方式の噴霧装置を用いるため、実施の形態１で示した芳香発生感熱紙２０１を用いる必要がなくなり、プロッタ１０９がサーマルヘッドの場合には一般的な感熱記録紙を使用し、プロッタ１０９がレーザプリンタ等の場合には普通紙を使用するものとする。
【００９５】
図２３および図２４は、実施の形態２の香り放出装置１１０の構成図を示し、図２３は香り放出装置１１０のインクジェット方式のヘッド構造を示し、図２４は香り放出装置１１０の概略構成図である。
【００９６】
図２３に示すように、実施の形態２の香り放出装置１１０のヘッド構造１４００は、ピエゾ素子を用いたオンデマンド型のインクジェットプリンターのヘッドと同じ構造にしたものであり、インクの替わりに香料（芳香材）を流入させて、香料を噴射するものである。図において、１４０１、１４０２はピエゾ素子、１４０３、１４０４はキャビティ、１４０５は香料流入口、１４０６はノズルを示し、香料を噴射させる場合には、ピエゾ素子１４０１、１４０２のピエゾ駆動信号を同期させて駆動し、停止する場合にはピエゾ駆動信号を停止させる。
【００９７】
実施の形態２の香り放出装置１１０は、図２４に示すように、ヘッド構造１４００を複数配列し、それぞれ専用の芳香材格納部１５０１を配設したものである。なお、ここで、芳香材格納部１５０１はインクジェットタイプのカートリッジから成るものとする。
【００９８】
上記の構成において、各芳香材格納部１５０１にそれぞれ異なる芳香材を格納することにより、多数種類の香りを放出することが可能とする。また、例えば、５種類の芳香材を所定の順序で繰り返して格納することにより、記録紙の全面に同一の香りを分散させて放出することも可能とする。
【００９９】
さらに、芳香材格納部１５０１の一部には、原臭となる５種類の芳香材（例えば、楡の香り、杉の香り、檜の香り、松の香り、桜の香り）の何れか１つをそれぞれ格納し、他の部分には、単独の香りがそのものの香りとなる芳香材（例えば、リンゴの香り、レモンの香り、バナナの香り、パイナップルの香り等の匂いの元となる各種エステル）を格納することもできる。
【０１００】
前述したように実施の形態２によれば、実施の形態１の効果に加えて、香りを記録紙の全面に塗布（放出）することができる。また、専用の芳香発生感熱紙を使用せずに、一般的な感熱記録紙や、普通紙を用いることができる。
【０１０１】
【発明の効果】
以上説明したように、請求項１に係るファクシミリ装置は、送信者に対応した香りの種類を設定する香り設定手段と、香り設定手段で設定された該香りの種類を香り情報として記憶する香り情報記憶手段と、送信側のファクシミリ装置から送出される情報を受信する通信制御手段と、該情報に基づいて送信者を判別する送信者判別手段と、香り情報記憶手段に記憶されている、送信者判別手段で判別された送信者に対応する香りの種類に基づいて、対応する香りを放出する香り放出手段と、を備えたため、ファクシミリを受信した場合に送信者に応じた香りを放出することが可能となる。
【０１０２】
また、請求項２に係わるファクシミリ装置は、請求項１に係るファクシミリ装置において、送信者判別手段は、送信側のファクシミリ装置から送出されるヘッダーに基づいて、送信者を判別するため、送信者の判別が容易となる。
【０１０３】
また、請求項３に係わるファクシミリ装置は、請求項１に係るファクシミリ装置において、送信者判別手段は、送信側のファクシミリ装置から送出される送信者の電話番号に基づいて、送信者を判別するため、送信者の判別がより容易となる。
【０１０４】
また、請求項４に係るファクシミリ装置は、請求項１〜３のいずれか１つに記載のファクシミリ装置において、前記香り放出手段は、熱により香りを放出する機能を有した芳香発生感熱紙と、前記芳香発生感熱紙を加熱して香りを放出させるための加熱手段とから成るため、簡単かつ安価な構成で香りの放出を行うことができる。
【０１０５】
また、請求項５に係るファクシミリ装置は、請求項１〜４のいずれか一つに記載のファクシミリ装置において、香りの種類を指定する香り指定手段と、香り指定手段で指定された香りの種類を香り情報として一時的に記憶する香り情報記憶手段と、あらかじめ設定された香り情報送信プロトコルに基づいて、香り情報記憶手段に記憶された香り情報を送信する通信制御手段と、を備えたため、画像データと共に香り情報を相手（受信側）に送信することができる。また、送信側で所望の香り情報を指定して、指定した香り情報を相手（受信側）に送信することができる。
【０１０６】
また、請求項６に係るファクシミリ装置は、請求項５に係るファクシミリ装置において、香り指定手段は、あらかじめ香りの種類に対応させて配設したキー群またはスイッチ群から成るため、所望の香り情報を容易に指定することができる。
【０１０７】
また、請求項７に係わるファクシミリ装置は、請求項５に係るファクシミリ装置において、香り指定手段として、あらかじめ操作部に設けられている電話番号入力用テンキーを用いるため、装置構成の複雑化を回避することができる。また、従来のファクシミリ装置に容易に適用することが可能である。
【０１０８】
また、請求項８に係るファクシミリ装置は、請求項５に係るファクシミリ装置において、香り指定手段は、所定の位置にあらかじめ香りの種類に対応させたマークを設けたファクシミリ用送信原稿からなり、ファクシミリ用送信原稿のマークを参照して、所望の香りの種類の位置に線を書き込むことにより、香りの種類を指定するため、所望の香り情報を容易に指定することができると共に、装置構成の複雑化を回避することができる。さらに、従来のファクシミリ装置に容易に適用することが可能である。
【０１０９】
また、請求項９に係るファクシミリ装置は、請求項１〜８のいずれか１つに記載のファクシミリ装置において、香り放出手段は、熱により香りを放出する機能を有した芳香発生感熱紙と、芳香発生感熱紙を加熱して香りを放出させるための加熱手段と、からなるため、簡単かつ安価な構成で香りの放出を行うことができる。
【０１１０】
また、請求項１０に係るファクシミリ装置は、請求項１〜８のいずれか１つに記載のファクシミリ装置において、香り放出手段は、オンデマンドインクジェット方式と同様の構成で、インクに代えて芳香剤を充填した噴霧装置からなるものであるため、簡単かつ安価な構成で香りの放出を行うことができる。また、専用の芳香発生感熱紙を必要とせず、一般的な感熱記録紙や、普通紙を用いることができる。
【図面の簡単な説明】
【図１】実施の形態１のファクシミリ装置のブロック構成図である。
【図２】図１のＨＤのメモリ構成例を示す図である。
【図３】実施の形態１の芳香発生感熱紙の構造を示す説明図である。
【図４】実施の形態１の芳香発生感熱紙の香料塗布部分における芳香材と感熱発色材の塗布例を示す説明図である。
【図５】実施の形態１の香り放出装置（芳香発生感熱紙およびプロッタ）の配置および構造を示す説明図である。
【図６】実施の形態１のプロッタ（サーマルヘッド）の構成を示す説明図である。
【図７】送信者に対応した香り情報の設定処理の第１の方法の手順を示すフローチャートである。
【図８】国別・地域別に香りの種類を割り付ける場合の例を示している。
【図９】横浜に住んでいるある人の香り情報のファイルの内容の例を示している。
【図１０】同図（ａ）は一般的なＧ３ＦＡＸプロトコルの説明図、同図（ｂ）は一般的なＧ４ＦＡＸプロトコルの説明図である。
【図１１】ＴＳＩ、ＳＥＴＵＰ、ＣＳＳのパラメータが電話番号の例を示す図である。
【図１２】実施の形態１の操作表示部のキー配列の例および香り情報の指定方法を示す説明図である。
【図１３】実施の形態１の操作表示部の他のキー配列の例および香り情報の指定方法を示す説明図である。
【図１４】ファクシミリ用送信原稿の構成およびファクシミリ用送信原稿を用いた香り情報の指定方法を示す説明図である。
【図１５】実施の形態１におけるＧ３ＦＡＸプロトコルでの独自手順への移行を示す説明図である。
【図１６】実施の形態１におけるＧ４ＦＡＸプロトコルでの独自手順への移行を示す説明図である。
【図１７】実施の形態１において使用する独自手順のプロトコルシーケンス（送信側が香り情報送信プロトコル／受信側が香り情報受信プロトコル）の例を示す説明図である。
【図１８】独自手順のプロトコルシーケンスにおけるＳ＿ＣＡＰおよびＲ＿ＣＡＰのフォーマットを示す説明図である。
【図１９】香り情報の具体的な送受信動作の一例を説明するためのフローチャートである。
【図２０】香り情報のデフォルト設定処理を説明するためのフローチャートである。
【図２１】デフォルトの香り情報の具体的な送受信動作の一例を説明するためのフローチャートである。
【図２２】実施の形態２のファクシミリ装置のブロック構成図である。
【図２３】実施の形態２の香り放出装置のヘッド構造を示す説明図である。
【図２４】実施の形態２の香り放出装置の概略構成図である。
【符号の説明】
１０１    システム制御部
１０２    ＲＡＭ
１０３    ハードディスク
１０４    スキャナ
１０５    操作表示部
１０６    通信制御部
１０７    符号化復号化部
１０８    変倍部
１０９    プロッタ
１１０    香り放出装置
１１１    香り放出制御装置
８０１〜８０５    マーク
８０６    ファクシミリ用送信原稿
１４００    ヘッド構造
１５０１    芳香材格納部
【図１】
0003614632.tif 000002
【図２】
0003614632.tif 000003
【図３】
0003614632.tif 000004
【図４】
0003614632.tif 000005
【図５】
0003614632.tif 000006
【図６】
0003614632.tif 000007
【図７】
0003614632.tif 000008
【図８】
0003614632.tif 000009
【図９】
0003614632.tif 000010
【図１０】
0003614632.tif 000011
【図１１】
0003614632.tif 000012
【図１２】
0003614632.tif 000013
【図１３】
0003614632.tif 000014
【図１４】
0003614632.tif 000015
【図１５】
0003614632.tif 000016
【図１６】
0003614632.tif 000017
【図１７】
0003614632.tif 000018
【図１８】
0003614632.tif 000019
【図１９】
0003614632.tif 000020
【図２０】
0003614632.tif 000021
【図２１】
0003614632.tif 000022
【図２２】
0003614632.tif 000023
【図２３】
0003614632.tif 000024
【図２４】
0003614632.tif 000025